(57)【要約】【課題】任意の形状に成形することにより、肩や腰、足など任意の部位を適度に刺激しつつ温熱によって肩こりや腰痛などを解消し、あるいは腹などを温められる程度に保温効果を持続することができるようにした健康器具を提供する。【解決手段】この健康器具は、マイクロ波を吸収することによって発熱する芯体１が、耐熱性と弾力性とを有している被覆体１０によって被覆されている。芯体１は、焼成によりリチウム−鉄系複合酸化物を形成する材料が含有された陶磁器材料によって形成されている。被覆体１０は、シリコーンゴムによって成形されている。また、芯体１は、球形、卵形、テーパ軸形、長楕球形、軸形、カップ形、並列させた２個の半球体、円盤形のいずれかに形成されている。【選択図】図４
2010029282.tif 000002
【特許請求の範囲】
【請求項１】
マイクロ波を吸収することによって発熱する芯体が、耐熱性と弾力性とを有している被覆体によって被覆されていることを特徴とする健康器具。
【請求項２】
前記芯体は、焼成によりリチウム−鉄系複合酸化物を形成する材料が陶磁器材料に含有させた材料によって形成されていることを特徴とする請求項1に記載の健康器具。
【請求項３】
前記被覆体は、シリコーンゴムによって成形されていることを特徴とする請求項1又は２に記載の健康器具。
【請求項４】
前記芯体は、球形、卵形、テーパ軸形、長楕球形、軸形、カップ形、並列させた２個の半球体、円盤形のいずれかに形成されていることを特徴とする請求項１ないし３のいずれか１項に記載の健康器具。
【請求項５】
前記被覆体の表面には、複数本の突条が設けられていることを特徴とする請求項１ないし４のいずれか１項に記載の健康器具。
【請求項６】
前記被覆体の一部には、偏肉部が設けられていることを特徴とする請求項１ないし５のいずれか１項に記載の健康器具。
【請求項７】
請求項１ないし６のいずれかの健康器具の製造方法であって、
芯体を予め加熱することによって、芯体を高温の状態にしておく工程と、
金型上に平板状の被覆体をセットし、該被覆体上に高温の状態とされた芯体を載せる工程と、
該芯体上に平板状の被覆体を被せる工程と、
前記と異なる金型を被覆体を覆うように前記金型に重ね合わせる工程と、
両金型を高温に加熱することによって被覆体を溶融する工程と、
両金型の加熱を停止し、溶融した被覆体を凝固させる工程とを含んでいることを特徴とする健康器具の製造方法。
【発明の詳細な説明】
【技術分野】
【０００１】
本発明は、肩や腰、足など任意の部位を適度に刺激しつつ温熱によって痛みなどを解消し、あるいは腹などを温められるようにした健康器具、及びこの健康器具を製造するための健康器具の製造方法に関する。
【背景技術】
【０００２】
肩こりや腰痛などの治療手段として、シップ薬や温熱を利用する健康器具などが各種提供されている。シップ薬は、使い捨てであったり、かぶれたりするなどの不具合がある。また、健康器具は各種提供されているが、特許文献１には、水分子を含む岩石を砕いた状態で布の袋に入れた温熱健康器具が開示されている。この温熱健康器具は、電子レンジによって加熱されることにより、岩石から遠赤外線が放射され、温熱効果を発揮し、しかも、繰り返して使用することができるようにされている。
【０００３】
【特許文献１】特開２００３−１４４４７８号公報
【発明の開示】
【発明が解決しようとする課題】
【０００４】
特許文献１に開示された温熱健康器具は、砕かれた岩石が袋に入れられているため、任意の形状に成形されていない。したがって、この温熱健康器具は、単に肩や腰の上において患部を温めるにすぎず、指圧のように適度な刺激を作用させることができない。しかも、岩石は袋に入れられているため、加熱されても、温度が急速に低下し、肩こりや腰痛などを解消することができる時間、連続して使用し続けることができない。
【０００５】
そこで、本発明は、任意の形状に成形することにより、肩や腰、足など任意の部位を適度に刺激しつつ温熱によって肩こりや腰痛などを解消し、あるいは腹などを温められる程度に保温効果を持続することができるようにした健康器具を提供することを課題とする。
【課題を解決するための手段】
【０００６】
本発明に係る健康器具は、マイクロ波を吸収することによって発熱する芯体が、耐熱性と弾力性とを有している被覆体によって被覆されていることを特徴としている。
【０００７】
この健康器具は、電子レンジのようなマイクロ波を照射する加熱器具によって加熱してから使用する。加熱された健康器具は、芯体が例えば５０〜２００℃程度の高温になるが、被覆体の表面が手で握ることのできる温度に温められた状態となる。また、被覆体は、耐熱性によって保温効果が発揮され、肩こりや腰痛などを解消し、あるいは腹などを温められる程度の温度、手で握ることのできる温度が維持される。そして、被覆体が弾力性を有していることから、被覆体を肩や腰、足などの任意の部位に押し付けると、被覆体が適度に変形する。したがって、当該部位は適度に刺激されつつ温められる。
【０００８】
また、前記本発明に係る健康器具において、前記芯体は、焼成によりリチウム−鉄系複合酸化物を形成する材料が陶磁器材料に含有させた材料によって形成されていることが好ましい。この健康器具によれば、焼成によりリチウム−鉄系複合酸化物を形成する材料が陶磁器材料中に含有された材料によって芯体が形成されることにより、芯体はマイクロ波を吸収し、自己発熱性に優れたものとすることができる。したがって、この健康器具は、電子レンジのようなマイクロ波を照射する加熱器具によって芯体を簡単に、しかも短時間で５０〜２００℃程度の高温に加熱して使用することができる。
【０００９】
また、前記本発明に係る健康器具において、前記被覆体は、シリコーンゴムによって成形されていることが好ましい。この健康器具によれば、被覆体がシリコーンゴムによって成形されることにより、被覆体を２〜３０ｍｍ程度の厚さとするだけで、芯体が例えば５０〜２００℃程度の高温に加熱されても、被覆体の表面を手で握ることのできる温度にすることができる。また、シリコーンゴムは、耐熱性を有していることから、繰り返し加熱されても劣化することがない。さらに、シリコーンゴムは、弾力性を有するだけでなく、手触り感がよいため、使い心地をよいものとすることができる。
【００１０】
また、前記本発明に係る健康器具において、前記芯体は、球形、卵形、テーパ軸形、長楕球形、軸形、カップ形、並列させた２個の半球体、円盤形のいずれかに形成されていることが好ましい。この健康器具によれば、芯体が球体、卵形、テーパ軸形、長楕球形、軸形、あるいはカップ形に形成されていると、手の中に入れる状態に持ちやすいものとすることができ、そして、芯体が並列された２個の半球体とされていると、この健康器具を腰や背中に２か所で押し当て、あるいは肩の上に載せて使用することができ、そして、芯体が円盤形とされていると、腹の上に押し当てて使用することができる。なお、この健康器具はこの使用方法に限定することなく、使用者は自由に使用することができる。
【００１１】
また、前記本発明に係る健康器具において、前記被覆体の表面には、複数本の突条が設けられていることが好ましい。この健康器具によれば、複数本の突条が設けられていることにより、各突条がいわゆるツボを押圧することになり、刺激効果を高めることができる。
【００１２】
また、前記本発明に係る健康器具において、前記被覆体の一部には、偏肉部が設けられていることが好ましい。この健康器具によれば、被覆体の一部に厚肉の偏肉部が設けられていることにより、部分的に弾力性が強調され、あるいは持ちやすく、滑りにくいものとすることができる。また、厚肉の偏肉部は、他の部分よりも温度が低くなるため、任意の部位を低い温度で温めることができる。
【００１３】
また、前記本発明に係る健康器具の製造方法は、芯体を予め加熱することによって、芯体を高温の状態にしておく工程と、金型上に平板状の被覆体をセットし、該被覆体上に高温の状態とされた芯体を載せる工程と、該芯体上に平板状の被覆体を被せる工程と、前記と異なる金型を被覆体を覆うように前記金型に重ね合わせる工程と、両金型を高温に加熱することによって被覆体を溶融する工程と、両金型の加熱を停止し、溶融した被覆体を凝固させる工程とを含んでいることを特徴としている。
【００１４】
この健康器具の製造方法によれば、芯体が予め加熱されることにより、被覆体をセットした金型を加熱したときに、この熱が芯体に奪われることがないため、芯体を予め加熱しないときよりも製造時間を短縮することができる。また、芯体が予め加熱されることにより、芯体中に含まれている気泡が減少し、芯体と被覆体との間に空気溜りないし膨張した部分が生じないようにすることができる。
【発明の効果】
【００１５】
本発明によれば、マイクロ波を吸収することによって発熱する芯体を、耐熱性と弾力性とを有している被覆体によって被覆した健康器具が提供されることにより、肩や腰、足など任意の部位を適度に刺激しつつ、肩こりや腰痛などを解消し、あるいは腹などを温められる温熱によって温め続けることができるため、マッサージ効果が発揮され、痛みなどを解消し、また快さを得られるようにすることができる。
【発明を実施するための最良の形態】
【００１６】
本発明の健康器具の実施形態について図１ないし図１０を参照しながら説明する。この健康器具は、マイクロ波を吸収することによって発熱する芯体１が、耐熱性と弾力性とを有している被覆体１０によって被覆されていることを特徴としている。
【００１７】
芯体１は、焼成によりリチウム−鉄系複合酸化物を形成する材料を陶磁器材料に含有させたもので、後記のように任意の形状に成形される。陶磁器材料としては、コージェライト、ムライト、ペタライト、チタン酸アルミニウム、アルミナなどのセラミックス粉末、あるいはこれらのセラミックスの複合粉末、さらには陶磁器用陶土、各種粘度鉱物が挙げられ、粒径が０．１ｍｍ以下、好ましくは５μｍ以下の粉末状で使用される。
【００１８】
これらの陶磁器材料は、焼成後にSiO2、Al2O3、TiO2、MgO、Li2Oなどの酸化物となる。また、陶磁器材料としては、鉛、クロム、ニッケル、亜鉛、銅などの有害成分を含有しないことが好ましいが、含有したとしても焼成後において、有害金属酸化物が陶磁器材料中に０．５質量％以下、好ましくは、０．１質量％以下であれば使用することができる。
【００１９】
そして、焼成によりリチウム−鉄系複合酸化物を形成する材料における鉄成分としては、水酸化鉄｛Fe（OH）2、Fe（OH）3、FeOOH｝、酸化鉄（FeO、Fe2O3、Fe3O4）、また、焼成により除去される陰イオンを含有する鉄化合物が挙げられ、リチウム成分としては、炭酸リチウム、塩化リチウム、フッ化リチウム、水酸化リチウム、硝酸リチウム、リン酸リチウムなどが挙げられる。この材料が粉末状である場合、粒径は、０．１ｍｍ以下、好ましくは５μｍ以下とされる。
【００２０】
そして、焼成によって、前記の鉄化合物はFe2O3になり、リチウム化合物はLi2Oになるが、焼成後において、Li2OがFe2O3に対して０．１〜１０％質量％、好ましくは１〜８質量％となるように鉄化合物とリチウム化合物とが混合される。なお、Li2Oの含有率が１０質量％より多いと、焼成体の熱膨張率が上昇し、リチウム−鉄系複合酸化物の形成に寄与しないLi2Oが焼成後においても残存するという問題が生じる。
【００２１】
そして、焼成によりリチウム−鉄系複合酸化物を形成する材料には、希土類元素（Pr、Nd、Dy）を含有させることが好ましい。希土類元素に由来する酸化物は、それ自体マイクロ波を吸収して自己発熱性の機能を発揮するため、希土類元素を含有した陶磁器材料はより一層、発熱性に優れたものとすることができる。
【００２２】
また、焼成によりリチウム−鉄系複合酸化物を形成する材料と陶磁器材料との混合に対しては、炭化珪素粉末を添加して焼成することが好ましい。炭化珪素は、それ自体マイクロ波を吸収して自己発熱性の機能を発揮することが知られている。
【００２３】
炭化珪素粉末は、粒径が０．１〜１０μｍ、好ましくは０．５〜５μｍのものが使用される。粒径が０．１μｍ未満であると、自己発熱性が低下し、１０μｍを超えると、成形性が悪化するからである。また、炭化珪素の添加量の割合は、０．５〜１５質量％、好ましくは０．５〜１０質量％とされる。炭化珪素の添加量が０．５質量％よりも少ないと、強度を向上させることができず、１５質量％よりも多いと、釉薬との接着性が低下するからである。
【００２４】
そして、焼成に際して、陶磁器材料粒子と接する炭化珪素粒子の表面に酸化されてガラス緻密層が形成されることにより、芯体１は強度が向上される。また、芯体１は、炭化珪素粒子の内部が未酸化状態で残るため、マイクロ波吸収性が維持される。
【００２５】
そして、芯体１は、陶磁器材料（酸化物基準）に対して、焼成によりリチウム−鉄系複合酸化物を形成する材料（酸化物基準）を０．５〜５０質量％の割合、好ましくは１〜４０質量％で混合して成形される。この配合量が５０質量％よりも多いと、マイクロ波による急激な自己発熱と熱膨張の上昇などの問題が生じるからである。なお、焼成によりリチウム−鉄系複合酸化物を形成する材料と陶磁器材料との混合方法としては、粉末−粉末、粉末−溶液、溶液−溶液のいずれの形態でもよい。
【００２６】
そして、陶磁器材料、リチウム化合物と鉄系化合物との混合物、水、バインダー、さらに分散剤を混合した成形材料が押出成形、プレス成形などによって所定の形状の成形物に形成される。この成形物は、８００〜１５００℃、好ましくは１２００〜１４５０℃の温度で０．５〜３時間、好ましくは１〜２時間、焼成されて芯体１に形成される。なお、焼成によりリチウム−鉄系複合酸化物を形成する材料は、鉄化合物とリチウム化合物とを混合し、予め、１０００℃で仮焼きし、リチウム−鉄系複合酸化物を生成させ、このリチウム−鉄系複合酸化物を０．１ｍｍ以下の粒径に粉砕して陶磁器材料と混合してもよい。
【００２７】
このようにして形成された芯体１は、焼成によって、LiFe5O8、LiFeO2、Li５FeO4などのリチウム−鉄系複合酸化物が形成され、マイクロ波を吸収し、自己発熱性に優れたものとなる。この芯体１は、リチウム酸化物の含有量が多くなるにつれて、発熱量が増大する。
【００２８】
このような芯体１が耐熱性と弾力性とを有しているシリコーンゴムなどの被覆体１０によって被覆されることにより、健康器具が製造される。この健康器具の製造方法について簡単に説明する。
【００２９】
まず、電子レンジのようなマイクロ波を照射する加熱器具、あるいは、一般的な加熱器具によって、芯体１を予め加熱しておく。芯体１は、加熱されることによって、内部に含まれる気泡が減少する。
【００３０】
次に、一方の金型（下金型）上に平板状の被覆体をセットし、この被覆体の上に前記の加熱された芯体１を載せる。次に、この芯体１の上に、前記と異なる平板状の被覆体を被せる。したがって、芯体１は、２枚の被覆体に挟まれた状態となる。
【００３１】
次に、他方の金型（上金型）が上側の被覆体を覆うように下金型に重ね合わされる。そして、上下の金型を加熱することによって、被覆体を溶融させる。前記のように芯体１が予め加熱されているため、上下の金型の熱が芯体１に奪われず、被覆体は、均等に伝熱され、また、芯体１が加熱されていないとした場合よりも短時間で溶融する。
【００３２】
次に、上下の金型の加熱を停止し、溶融した被覆体を芯体１の外周面に沿う形状に凝固させる。すると、芯体１を被覆体１０によって被覆した健康器具が製造される。芯体１には、前記のように内部の気泡が減少しているため、気泡に起因して芯体１と被覆体１０との間に空気溜り、あるいは膨張した部分が生じていない。最後に、両金型を離型させ、製造された健康器具を金型から取り出す。健康器具の周囲に余分なエッジ（ばり）が突き出ているときは、バリを除去する。
【００３３】
ここで、芯体１を被覆体１０によって被覆した健康器具の具体的な形態について図面を参照しながら説明する。
【００３４】
図１に示した第１の健康器具は、芯体１が球形であり、芯体１の周囲が一定の厚さで被覆体１０によって被覆され、手で握ることができる程度の大きさの球形に形成されている。図２に示した第２の健康器具は、芯体１が卵形であり、芯体１の周囲が一定の厚さで被覆体１０によって被覆され、手で握ることができる程度の大きさの卵形に形成されている。第２の健康器具は、長さと幅が例えば１００ｍｍと６８ｍｍとされ、被覆体１０の厚さが例えば２〜３０ｍｍ程度とされる。なお、第１と第２の健康器具は、被覆体１０を一定の厚さに設けることなく、部分的に厚くした偏肉部（図示せず）を設けてもよい。
【００３５】
図３に示した第３の健康器具は、芯体１が中間部をわずかに凹ませたテーパ状の軸形（細身の瓢箪形）であり、芯体１の周囲が一定の厚さで被覆体１０によって被覆され、手で握ることができる程度の大きさに形成されている。この第３の健康器具は、中間部１１がわずかに凹んだテーパ軸形に形成されていることによって、手にフィットする。また、例えば拡径した端面側には、被覆体１０の厚さを他の部分の被覆体１０よりも厚くした偏肉部１２が設けられている。この偏肉部１２は、弾力性が他の部分よりも大きくなっている。ただし、偏肉部１２は、縮径した端面側に設けてもよいし、偏肉部１２を設けることなく、被覆体１０の厚さを全面に亘って一定にしてもよい。
【００３６】
図４に示した第４の健康器具は、芯体１がテーパ状の長楕球形であり、芯体１の周囲が被覆体１０に被覆され、全体として手で握ることができる程度のテーパ状の長楕球形に形成されている。この第４の健康器具は、被覆体１０の表面に複数本の環状の突条１３，１３，…が一端部１４側から他端部１５側にかけて一定間隔に設けられている。
【００３７】
図５に示した第５の健康器具は、芯体１が円柱状の軸形に形成され、芯体１の周囲が被覆体１０に被覆され、全体として手で握ることができる大きさに形成されている。被覆体１０の両端部１４，１５は、中間部１１よりも拡径し、中間部１１には、多数の突条１３，１３，…と溝１６，１６，…とが交互に形成されている。両端部１４，１５の外径は、中間部１１の突条１３，１３，…の外径よりも大きく、中間部１１の突条１３，１３，…が突出しないようにされている。
【００３８】
図６に示した第６の健康器具は、芯体１がカップ形状に形成され、芯体１の周囲が被覆体１０に被覆され、全体として手で握ることができる程度のカップ形状に形成されている。この第６の健康器具の被覆体１０には、長さ（軸）方向の中間部１１において厚肉とされた偏肉部１２を設けることによって、持ちやすく、かつ、滑りにくいものとされている。ただし、第６の健康基部は、偏肉部１２を設けることなく、被覆体１０の外径を全長に亘って同一としてもよい。また、第６の健康器具におけるカップ形状の概念は、図示しないが、いわゆる碗形状を含む。
【００３９】
図７に示した第７の健康器具は、芯体１が半球体であり、２個の芯体１，１が間隔を空けて並列され、芯体１の周囲が被覆体１０に被覆され、両手で握ることができる程度の大きさの二つの山状の部分１７，１７が形成されている。したがって、芯体１と芯体１との間には、凹んだ部分１８が形成されている。この凹んだ部分１８の被覆体１０は、芯体１の周囲を被覆している部分の被覆体１０よりも厚く形成されている。なお、図示しないが、芯体１，１，…は３個以上並列させたものとしてもよい。
【００４０】
図８に示した第８の健康器具は、芯体１が底面を緩やかな凸曲面状とし、上面を盛り上げた変形長円半球形であり、芯体１の周囲が一定の厚さで被覆体１０に被覆され、手で握ることができる程度の大きさの長円半球形に形成されている。芯体１の上面であって中心から偏心した２か所には、窪んだ部分が形成され、この部分に被覆体１０を厚肉にした偏肉部１２が設けられている。この部分の被覆体１０は、偏肉部１２によって弾力性が富んだものとされてい。
【００４１】
図９に示した第９の健康器具は、芯体１の底面を平坦にし、上面を盛り上げた状態の長円半球形であり、芯体１の周囲が一定の厚さで被覆体１０に被覆され、手で握ることができる程度の大きさの長円半球形に形成されている。この被覆体１０は、底面１９が平坦に形成され、表面である上面２０には、複数本の突条１３，１３，…が一端部１４側から他端部１５側にかけて一定間隔に設けられている。
【００４２】
図１０に示した第１０の健康器具は、芯体１の底面を緩やかな凸曲面状とし、上面を盛り上げた円盤形であり、芯体１の周囲が一定の厚さで被覆体１０に被覆され、両手で持つことができる程度の大きさで上面を盛り上げた円盤形に形成されている。この被覆体１０の表面である上面２０には、複数本の突条１３，１３，…が一端部１４側から他端部１５側にかけて一定間隔に設けられている。
【００４３】
ここで、前記の各健康器具の使用例について説明する。いずれの健康器具においても、電子レンジのようなマイクロ波を照射する加熱器具によって加熱する。芯体１は加熱時間にもよるが、例えば５０〜２００℃程度に加熱されるが、被覆体１０の表面は手で握ることのできる程度の温度とされる。したがって、使用者がこの健康器具、具体的には被覆体１０を手に持って体の任意の部位に押し当てることができる。
【００４４】
例えば、第１ないし第６の健康器具は、手から露出している被覆体１０の表面を肩、腰、腹、脹脛（ふくらはぎ）、土踏まずなど任意の部位に押し当てる。すると、任意の部位は、適温に加熱されている被覆体１０によって温められつつ、押し当てられることによって適度に刺激され、マッサージ効果が得られる。使用者がピンポイント的な刺激を希望する場合は、第２ないし第４の健康器具の比較的尖っている部分を押し当てる。
【００４５】
また、第３の健康器具においては、弾力性を求める使用者は被覆体１０の偏肉部１２を押し当てる。この偏肉部１２は、他の部分よりも温度が低くなっている。したがって、比較的高い温熱を求める使用者は、偏肉部１２以外を押し当てるというように、使用状態を選択することができる。
【００４６】
また、突条１３，１３，…を有する第４、第５、第９、第１０の健康器具は、手で握ったり、肩や土踏まず、腹などに押し当てたりすることにより、突条１３，１３，…が手や肩、土踏まず、腹などのツボを集中的に刺激することができる。なお、第４の健康器具は長楕球形に形成され、第５の健康器具は軸形に形成されているため、ともに握りやすく、また環状の突条１３，１３，…が設けられているため、方向性を考慮することなくツボを刺激することができる。
【００４７】
また、第５の健康器具は、床の上に置いて、土踏まずを突条１３，１３，…に押し付けて使用することができる。第５の健康器具は、両端部１４，１５が拡径し、突条１３，１３，…が床に当接しないことから、熱が突条１３，１３，…から逃げず、温熱効果を長時間持続させることができる。
【００４８】
また、第６の健康器具は、面状の端面、環状の端面、あるいは側面を任意の部位に押し付け、それぞれ、異なる刺激性を感じることができる。すなわち、面状の端面は、分布荷重が加えられる状態となるため、緩やかな刺激が加えられ、環状の端面は、集中荷重が加えられるため、強い刺激が加えられ、側面は、偏肉部１２によって柔らかい刺激が加えられる。
【００４９】
また、第７の健康器具は、凹んだ部分１８を肩に載せ、２つの山状の部分１７，１７が肩を挟むようにしたり、平坦な面を床に置き、あるいは椅子の背もたれに宛がって、２つの山状の部分１７，１７が腰や背中を押し当てたりすることにより、当該部位を温めつつ、適度に刺激することができる。
【００５０】
また、第８の健康器具は、手に持って、あるいは床やデスクなどに置いて、腕を載せて使用することができる。使用者は、偏肉部１２において、柔らかい刺激が加えられる。比較的高温で強い刺激が加えられるようにするには、偏肉部１２以外を押し付ける。
【００５１】
また、第９の健康器具は、底面１９を床に置き、使用者が上面２０を踏み、あるいは座った状態で上面２０を踏んで体重を掛けることより、突条１３，１３，…が土踏まずのツボを集中的に刺激する。底面１９が平坦に形成されていることにより、安定性に優れ、使用者は、第９の健康器具の上に立っても転がることなく使用することができる。
【００５２】
また、第１０の健康器具は、使用者が仰向けに寝そべって、あるいは任意の姿勢で、上面２０を下向きにして腹に載せ、あるいは押し当てることにより、又は上面２０を上向きにして床上に置き、使用者が俯けに寝そべって突条１３，１３，…が腹を所々刺激するようにする。
【００５３】
このようにいずれの健康器具も、体の任意の部位を適度に刺激しつつ、温熱によって温めることができるため、使用者は、痛みなどが解消され、また快さが得られる。さらに、被覆体１０が弾力性を有していることから、刺激された部位は、握り心地がよいものとされる。さらに、被覆体１０によって肩こりや腰痛などを解消し、あるいは快さを得られる程度の長時間にわたって温熱効果を維持することができる。また、温熱効果がなくなると、再度、加熱して繰り返し、使用することができる。
【００５４】
なお、本発明は、前記実施の形態に限定することなく種々変更することができる。例えば、使用方法は、前記の使用例に当然限定することなく、第５又は第６の健康器具の周縁部を肩に押し当てるなどしてもよい。また、第１又は第２の健康器具において突条１３，１３，…を設けてもよいし、逆に、第３ないし第６の健康器具において突条１３，１３，…を設けなくてもよい。さらに、特に第１及び第２の健康器具においては、一部分を面取りし、転がらないようにすることもできる。
【００５５】
また、芯体１は、焼成によりリチウム−鉄系複合酸化物を形成する材料が含有された陶磁器材料によって形成されたものに限られず、例えば、SiO2、C、Fe2、Al2、O3、Mn、CaOを混合したものなどによって形成してもよい。さらに、被覆体１０は、シリコーンゴムに限定されず、耐熱性の樹脂などによって成形してもよい。
【００５６】
また、健康器具の製造方法として、キャビティ内にピンを突設した金型を使用し、芯体１をピンで支持し、キャビティ内に溶融したゴムや樹脂などを流入することによって製造してもよい。
【図面の簡単な説明】
【００５７】
【図１】本発明に係る健康器具の実施形態の第１例であって、（ａ）は正面図、（ｂ）は正面断面図である。
【図２】本発明に係る健康器具の実施形態の第２例であって、（ａ）は正面図、（ｂ）は側面図、（ｃ）は正面断面図である。
【図３】本発明に係る健康器具の実施形態の第３例であって、（ａ）は正面図、（ｂ）は側面図、（ｃ）は正面断面図である。
【図４】本発明に係る健康器具の実施形態の第４例であって、（ａ）は正面図、（ｂ）は側面図、（ｃ）は正面断面図である。
【図５】本発明に係る健康器具の実施形態の第５例であって、（ａ）は正面図、（ｂ）は側面図、（ｃ）は正面断面図である。
【図６】本発明に係る健康器具の実施形態の第６例であって、（ａ）は正面図、（ｂ）は側面図、（ｃ）は正面断面図である。
【図７】本発明に係る健康器具の実施形態の第７例であって、（ａ）は平面図、（ｂ）は側面図、（ｃ）は正面断面図である。
【図８】本発明に係る健康器具の実施形態の第８例であって、（ａ）は平面図、（ｂ）は側面図、（ｃ）は正面断面図である。
【図９】本発明に係る健康器具の実施形態の第９例であって、（ａ）は平面図、（ｂ）は側面図、（ｃ）は正面断面図である。
【図１０】本発明に係る健康器具の実施形態の第１０例であって、（ａ）は平面図、（ｂ）は側面図、（ｃ）は正面断面図である。
【符号の説明】
【００５８】
１……芯体
１０…被覆体
１２…偏肉部
１３…突条
【図１】
2010029282.tif 000003
【図２】
2010029282.tif 000004
【図３】
2010029282.tif 000005
【図４】
2010029282.tif 000006
【図５】
2010029282.tif 000007
【図６】
2010029282.tif 000008
【図７】
2010029282.tif 000009
【図８】
2010029282.tif 000010
【図９】
2010029282.tif 000011
【図１０】
2010029282.tif 000012